【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
磁気感応性表面用被覆構成要素を磁気的に誘引するための磁化下敷を製造する方法であって、前記方法は、
ａ）結合化合物を混成することであって、前記結合化合物は、可塑剤と磁気金属成分とを含む、ことと、
ｂ）前記結合化合物を半固体状態まで加熱することと、
ｃ）スクリム層の巻きを解いて前記スクリム層を引き伸ばし、前記引き伸ばされたスクリム層の上に前記結合化合物を均一に分散することと、
ｄ）前記結合化合物および前記スクリム層が加熱要素を通過するときに前記結合化合物および前記スクリム層を加熱し、前記結合化合物を固体状態に固め、組み合わせられた結合化合物およびスクリム層を形成することと、
ｅ）前記組み合わせられた結合化合物およびスクリム層の上へ防湿材層を配置し、下敷を形成することと、
ｆ）前記下敷を磁化することと
を含み、
ｇ）下敷構成要素は、寸法安定性のある固体状態の下敷を提供するような温度および期間において加熱される、方法。
【請求項２】
前記下敷を磁化することは、前記下敷を等方的に磁化することを含む、請求項１に記載の方法。
【請求項３】
前記結合化合物を分散することは、一連のローラの組によって行われる、または、エッジディバイダの組によって誘導されるスクイージによって行われることをさらに含む、請求項１に記載の方法。
【請求項４】
磁気金属成分は、鉄粉、鉄砂粒、鋼鉄砂粒、鋼鉄粉、等方性粉末、またはストロンチウムフェライト粉末のうちの１つを含み、前記結合化合物が、ＰＶＣ、ポリプロピレン、ゴム、繊維ガラス、または黒鉛を含むことをさらに含む、請求項１に記載の方法。
【請求項５】
前記防湿材は、シリコーン防湿材を含み、前記防湿材は、ローラの組によって張力をかけられ、サンドイッチローラの組によって前記結合化合物および前記スクリム層に押し付けられることをさらに含む、請求項１に記載の方法。
【請求項６】
前記下敷は、ネオジム鉄ホウ素（ＮｄＦｅＢまたはＮＩＢ）磁気ローラ、サマリウムコバルト（ＳｍＣｏ）磁気ローラ、アルニコ磁気ローラ、セラミック磁気ローラ、フェライト磁気ローラ、超磁石磁気ローラ、またはパルス磁化器のうちの１つによって磁化されることをさらに含む、請求項２に記載の方法。
【請求項７】
磁化下敷を磁気的に誘引するための非磁化磁気感応性表面用被覆構成要素を製造する方法であって、前記方法は、
ａ）結合化合物を混成することであって、前記結合化合物は、可塑剤と磁気金属成分とを含む、ことと、
ｂ）スクリム層を引き引き伸ばすことと、
ｃ）前記結合成分を半固体状態まで加熱することと、
ｄ）前記結合化合物を前記スクリム層の上に押し出すことと、
ｅ）前記結合化合物を前記スクリム層の上に均一に分散し、組み合わせられた結合化合物およびスクリム層を形成することと、
ｆ）表面用被覆材層を前記結合化合物およびスクリム層の上に押し付け、磁気感応性表面用構成要素を形成することと、
ｇ）前記結合化合物、スクリム層、および床用被覆材層を加熱し、前記結合化合物を固体状態に固めることと
を含む、方法。
【請求項８】
前記磁気金属成分は、鉄粉、鉄砂粒、鋼鉄砂粒、鋼鉄粉、等方性粉末、またはストロンチウムフェライト粉末のうちの１つを含み、前記結合化合物は、ＰＶＣ、ポリプロピレン、ゴム、繊維ガラス、または黒鉛を含むことをさらに含む、請求項７に記載の方法。
【請求項９】
非磁化磁気感応性表面用被覆構成要素を磁気的に誘引および支持するための等方性磁気下敷を製造するためのシステムであって、前記システムは、
スクリム材料のロールと、
前記スクリム材料が巻きを解かれるとき、前記スクリム材料に張力をかけるように適合されている張力付加ローラの組と、
防湿材材料のロールと、
前記防湿材材料が巻きを解かれるとき、前記防湿材材料に張力をかけるように適合されている張力付加ローラの組と、
加熱された結合化合物を貯蔵するように適合されているホッパであって、前記結合化合物は、等方性金属成分を有する、ホッパと、
前記結合化合物を前記スクリム材料上に分配するように適合されているノズルと、
前記結合化合物を均一に分布させるように適合されているスクイージと、
前記スクリム材料および結合化合物を加熱し、前記結合化合物を寸法安定性のある固体状態に固めるように適合されている炉と、
前記防湿材材料を前記結合化合物およびスクリム材料に押し付けるように適合されているローラの組と、
前記結合材料内の金属化合物を等方的に磁化するように適合されている磁化器と
を備えている、システム。
【請求項１０】
等方性磁化下敷と共に使用されるように適合されている非磁化磁気感応性表面用被覆構成要素を製造するためのシステムであって、前記システムは、
スクリム材料のロールと、
前記スクリム材料が巻きを解かれるとき、前記スクリム材料に張力をかけるように適合されている張力付加ローラの組と、
床用被覆材材料のロールと、
前記床用被覆材材料が巻きを解かれるとき、前記床用被覆材材料に張力をかけるように適合されている張力付加ローラの組と、
加熱された結合化合物を貯蔵するように適合されているホッパであって、前記結合化合物は、等方性金属成分を有する、ホッパと、
前記結合化合物を前記スクリム材料上に分配するように適合されているノズルと、
前記結合化合物を均一に分布させるように適合されているスクイージと、
前記床用被覆材材料を前記結合化合物およびスクリム材料に押し付けるように適合されているローラの組と、
前記スクリム材料および結合化合物を加熱し、前記結合化合物を寸法安定性のある固体状態に固めるように適合されている炉と
を備えている、システム。
【請求項１１】
壁を仕上げ加工するためのシステムであって、前記システムは、
内側誘引物質層および装飾外側層を備えているモジュール式壁被覆ユニットの組と、
等方性磁気シート材を備えている磁気下敷材であって、前記磁気下敷材は、２４時間より大きい時間にわたってカ氏約１５８度で加熱されている、磁気下敷材と、
壁ボード、絶縁層、および被覆層を備えている支持層であって、前記支持層は、構造内に設置されるとき、床に対して実質的に垂直である、支持層と
を備え、
前記磁気下敷材は、前記モジュール式壁被覆ユニットの組を受け取って支持するために、組み合わせられた磁気表面アセンブリを形成する前記支持層に固定され、前記モジュール式壁被覆ユニットの組は、前記磁気下敷材に面する前記内側誘引物質層と共に、前記組み合わせられた磁気表面アセンブリに取り外し可能に固定されるように適合されており、前記モジュール式壁被覆ユニットの組の重量は、垂直向きに設置されるとき、前記組み合わせられた磁気表面アセンブリによって支持される、システム。
【請求項１２】
前記磁気下敷材は、接着剤または留め手段によって、前記支持層に取り付けられることをさらに含む、請求項１１に記載のシステム。
【請求項１３】
前記壁ボードは、鉱物綿を含むことをさらに含む、請求項１１に記載のシステム。
【請求項１４】
表面を仕上げ加工する方法であって、前記方法は、
等方性磁気シート材を備えている磁気下敷材を支持構造の露出表面に固定することであって、前記磁気下敷材は、等方性磁気シート材を備え、前記磁気下敷材は、７日間にわたってカ氏約１５８度で加熱されている、ことと、
内側磁気感応性層および装飾外側層を備えているモジュール式表面用被覆ユニットの組のうちの各々を前記磁気下敷材に取り外し可能かつ磁気的に取り付けることであって、前記モジュール式表面用被覆ユニットの組を取り付けることは、暴露される前記装飾外側層と共に前記内側磁気感応性層を前記磁気下敷材に面するように配置し、組み合わせられた磁気表面アセンブリを形成することを含み、前記モジュール式表面用被覆ユニットの組は、前記磁気下敷材上に設置されるとき、前記磁気下敷材に取り外し可能に取り付けられ、支持表面によって支持される、ことと
を含む、方法。
【請求項１５】
壁ボードは、鉱物綿を含むことをさらに含む、請求項１４に記載の方法。
【請求項１６】
前記被覆層は、防炎外側層を含み、かつ／または、前記絶縁層は、難燃性ガラス繊維を含むことをさらに含む、請求項１４に記載の方法。
【請求項１７】
上部層を表面に磁気的に固定するためのシステムであって、前記システムは、
前記表面に固定されるように適合されている等方磁気下敷と、
複数のモジュール式ユニットを備えている上部層と
を備え、
前記複数のモジュール式ユニットにおける前記モジュール式ユニットの各々は、装飾外側層と、前記磁気下敷に取り外し可能かつ磁気的に固定されるように適合されている磁気感応性内側層とを備えている、システム。
【請求項１８】
前記複数のモジュール式ユニットは、床用被覆材ユニットおよび／または壁被覆ユニットを備えている、請求項１７に記載のシステム。
【請求項１９】
前記等方磁気下敷は、カレンダ加工プロセスにおいて生産される、請求項１７に記載のシステム。
【請求項２０】
交換可能室内装飾システムであって、前記システムは、
等方磁気層を有する壁の組であって、前記等方磁気層は、前記壁の組の外向きに面した表面上に配置されている、壁の組と、
等方磁気層を有する床であって、前記等方磁気層は、前記床の上部に配置されている、床と、
前記壁の組の等方磁気層上に磁気的かつ取り外し可能に配置されるように適合されている複数のモジュール式磁気感応性壁パネルと、
前記床の等方磁気層上に磁気的かつ取り外し可能に配置されるように適合されている複数のモジュール式磁気感応性床用被覆材ユニットと
を備えている、システム。
【請求項２１】
前記壁の組の等方磁気層上に磁気的かつ取り外し可能に配置されるように適合されている磁気感応性トリム部品の組をさらに備えている、請求項２０に記載のシステム。
【請求項２２】
前記壁の組の等方磁気層上に磁気的かつ取り外し可能に配置されるように適合されている付属部品の組をさらに備えている、請求項２０に記載のシステム。
【請求項２３】
前記壁の組の等方磁気層および前記床の等方磁気層は、カレンダ加工された磁気シートを備えている、請求項２０に記載のシステム。
【請求項２４】
前記壁の組の等方磁気層および前記床の等方磁気層は、パルス磁化プロセスによって磁化される、請求項２０に記載のシステム。
【手続補正２】
【補正対象書類名】明細書
【補正対象項目名】００６０
【補正方法】変更
【補正の内容】
【００６０】
別の実施形態では、本発明は、等方性床用被覆材を設置する方法であって、下敷を下張り床上に配置することであって、下敷は、製造プロセスにおいて磁化されている、ことと、床用被覆材層を磁化された下敷上に配置することであって、床用被覆材層は、磁気感応性化合物を含む、こととを含む方法を提供する。
本発明は、例えば、以下を提供する。
（項目１）
等方性下敷を製造する方法であって、前記方法は、
ａ）結合化合物を混成することであって、前記結合化合物は、可塑剤と等方性金属化合物とを含む、ことと、
ｂ）前記結合成分を半固体状態まで加熱することと、
ｃ）前記結合化合物を均一に分散することと、
ｄ）前記結合化合物を加熱し、前記結合化合物を固体状態に固めることと
を含む、方法。
（項目２）
ａ．スクリム層を引き引き伸ばすことと、
ｂ．前記結合化合物を前記スクリム層の上に押し出すことと、
ｃ．前記結合化合物を前記スクリム層の上に均一に分散することと、
ｄ．防湿材層を前記結合化合物およびスクリム層上に押し付けることと
をさらに含む、項目１に記載の方法。
（項目３）
前記下敷を等方的に磁化することをさらに含む、項目１に記載の方法。
（項目４）
前記結合化合物を分散することが、一連のローラの組によって行われることをさらに含む、項目１に記載の方法。
（項目５）
金属化合物が、鉄粉、鉄砂粒、鋼鉄砂粒、鋼鉄粉、等方性粉末、またはストロンチウムフェライト粉末のうちの１つを含み、前記結合化合物が、ＰＶＣ、ポリプロピレン、ゴム、繊維ガラス、または黒鉛を含むことをさらに含む、項目１に記載の方法。
（項目６）
前記スクリム層が、繊維ガラススクリムテープを含み、前記スクリム層が、ローラの組によって引き伸ばされることをさらに含む、項目２に記載の方法。
（項目７）
前記分散することが、エッジディバイダの組によって誘導されるスクイージによって行われることをさらに含む、項目１に記載の方法。
（項目８）
前記防湿材が、シリコーン防湿材を含み、前記防湿材が、ローラの組によって張力をかけられ、サンドイッチローラの組によって前記結合化合物およびスクリム層に押し付けられることをさらに含む、項目１に記載の方法。
（項目９）
前記下敷が、ネオジム鉄ホウ素（ＮｄＦｅＢまたはＮＩＢ）磁気ローラ、サマリウムコバルト（ＳｍＣｏ）磁気ローラ、アルニコ磁気ローラ、セラミック磁気ローラ、フェライト磁気ローラ、超磁石磁気ローラ、またはパルス磁化器のうちの１つによって磁化されることをさらに含む、項目３に記載の方法。
（項目１０）
等方性床用被覆材を製造する方法であって、前記方法は、
ａ）結合化合物を混成することであって、前記結合化合物は、可塑剤と等方性金属化合物とを含む、ことと、
ｂ）スクリム層を引き引き伸ばすことと、
ｃ）前記結合成分を半固体状態まで加熱することと、
ｄ）前記結合化合物を前記スクリム層の上に押し出すことと、
ｅ）前記結合化合物を前記スクリム層の上に均一に分散することと、
ｆ）床用被覆材層を前記結合化合物およびスクリム層上に押し付けることと、
ｇ）前記結合化合物、スクリム層、および床用被覆材層を加熱し、前記結合化合物を固体状態に固めることと
を含む、方法。
（項目１１）
前記金属化合物が、鉄粉、鉄砂粒、鋼鉄砂粒、鋼鉄粉、等方性粉末、またはストロンチウムフェライト粉末のうちの１つを含み、前記結合化合物が、ＰＶＣ、ポリプロピレン、ゴム、繊維ガラス、または黒鉛を含むことをさらに含む、項目１３に記載の方法。
（項目１２）
前記スクリム層が、ローラの組によって引き伸ばされた繊維ガラススクリムテープを含むことをさらに含む、項目１３に記載の方法。
（項目１３）
前記分散することが、エッジディバイダの組によって誘導されるスクイージによって行われることをさらに含む、項目１３に記載の方法。
（項目１４）
前記床用被覆材層が、一次下地を有するタフテッドカーペット層を備え、前記床用被覆材層が、ローラの組によって張力をかけられることをさらに含む、項目１３に記載の方法。
（項目１５）
前記床用被覆材層が、サンドイッチローラの組によって前記結合化合物およびスクリム層に押し付けられることをさらに含む、項目１３に記載の方法。
（項目１６）
前記床用被覆材層が、床用被覆材ユニットまたはロールの組のうちの１つにレーザ切断されることをさらに含む、項目１３に記載の方法。
（項目１７）
等方性磁気下敷を製造するためのシステムであって、前記システムは、
スクリム材料のロールと、
前記スクリム材料が巻きを解かれるとき、前記スクリム材料に張力をかけるように適合されている張力付加ローラの組と、
防湿材材料のロールと、
前記防湿材材料が巻きを解かれるとき、前記防湿材材料に張力をかけるように適合されている張力付加ローラの組と、
加熱された結合化合物を貯蔵するように適合されているホッパであって、前記結合化合物は、等方性金属成分を有する、ホッパと、
前記結合化合物を前記スクリム材料上に分配するように適合されているノズルと、
前記結合化合物を均一に分布させるように適合されているスクイージと、
前記スクリム材料および結合化合物を加熱し、前記結合化合物を固めるように適合されている炉と、
前記防湿材材料を前記結合化合物およびスクリム材料に押し付けるように適合されているローラの組と、
前記結合材料内の前記金属化合物を磁化するように適合されている磁化器と
を備えている、システム。
（項目１８）
磁気下敷と共に使用されるように適合されている等方性床用被覆材を製造するためのシステムであって、前記システムは、
スクリム材料のロールと、
前記スクリム材料が巻きを解かれるとき、前記スクリム材料に張力をかけるように適合されている張力付加ローラの組と、
床用被覆材材料のロールと、
前記床用被覆材材料が巻きを解かれるとき、前記床用被覆材材料に張力をかけるように適合されている張力付加ローラの組と、
加熱された結合化合物を貯蔵するように適合されているホッパであって、前記結合化合物は、等方性金属成分を有する、ホッパと、
前記結合化合物を前記スクリム材料上に分配するように適合されているノズルと、
前記結合化合物を均一に分布させるように適合されているスクイージと、
前記床用被覆材材料を前記結合化合物およびスクリム材料に押し付けるように適合されているローラの組と、
前記スクリム材料および結合化合物を加熱し、前記結合化合物を固めるように適合されている炉と
を備えている、システム。
（項目１９）
カレンダ加工された等方性下敷を製造するためのシステムであって、前記システムは、
ポリマー混合物および金属化合物混合物と、
前記ポリマー混合物と金属化合物混合物とを混合し、下敷材混合物を形成するように適合されているブレンダと、
前記下敷材混合物を加熱するように適合されているフラクサと、
前記下敷材混合物を所望の厚さの下敷材シートに形成するように適合されている形成ローラの組と、
表面仕上げを前記下敷材シート上に形成するように適合されている最終のローラの組と
を備えている、システム。
（項目２０）
前記下敷材シートを等方的に磁化するように適合されているパルス磁化器をさらに備えている、項目１９に記載のシステム。
（項目２１）
前記仕上げ加工された下敷材シート上に押し付けられるように適合されている接着剤シートロールをさらに備えている、項目１９に記載のシステム。
（項目２２）
等方性磁気下敷と共に使用されるように適合されている床用被覆材を製造するためのシステムであって、前記システムは、
スクリム材料のロールと、
前記スクリム材料が巻きを解かれるとき、前記スクリム材料に張力をかけるように適合されている張力付加ローラの組と、
床用被覆材材料のロールと、
前記床用被覆材材料が巻きを解かれるとき、前記床用被覆材材料に張力をかけるように適合されている張力付加ローラの組と、
加熱された結合化合物を貯蔵するように適合されているホッパであって、前記結合化合物は、等方性金属成分を有する、ホッパと、
前記結合化合物を前記スクリム材料上に分配するように適合されているノズルと、
前記結合化合物を均一に分布させるように適合されているスクイージと、
前記床用被覆材材料を前記結合化合物およびスクリム材料に押し付けるように適合されているローラの組と、
前記スクリム材料および結合化合物を加熱し、前記結合化合物を固めるように適合されている炉と
を備えている、システム。
（項目２３）
磁気下敷と共に使用されるように適合されている等方性床用被覆材を製造するためのシステムであって、前記システムは、
モジュール式床用被覆材ユニットの組と、
等方性磁気感応性下敷と、
前記磁気感応性下敷を前記モジュール式床用被覆材ユニットの組における各モジュール式床用被覆材ユニットに取り付ける手段と
を備えている、システム。
（項目２４）
前記モジュール式床用被覆材ユニットは、ビニルコンポジットタイル（ＶＣＴ）、高品質ビニルタイル（ＬＶＴ）または高品質ビニル厚板（ＬＶＰ）タイル、セラミックタイル、石タイル、堅木厚板、合板厚板、加工堅木厚板、および磁器タイルから成る群から選択された床用被覆材タイプを含む、項目２３に記載のシステム。
（項目２５）
等方性床用被覆材を設置する方法であって、前記方法は、
ａ）下敷を下張り床上に配置することであって、前記下敷は、製造プロセスにおいて磁化されている、ことと、
ｂ）床用被覆材層を前記磁化された下敷上に配置することであって、前記床用被覆材層は、磁気感応性化合物を含む、ことと
を含む、方法。
（項目２６）
壁を仕上げ加工するためのシステムであって、前記システムは、
内側誘引物質層および装飾外側層を備えているモジュール式壁被覆ユニットの組と、
等方性磁気シート材を備えている磁気下敷材と、
壁ボード、絶縁層、および被覆層を備えている支持層と
を備えている、システム。
（項目２７）
フレームをさらに備えている、項目２６に記載のシステム。
（項目２８）
前記支持層が、前記フレーム上に配置されることをさらに含む、項目２６に記載のシステム。
（項目２９）
前記装飾層が、タイル、漆喰、木材、スレート、御影石、塗装壁、壁紙、ヴェネツイア漆喰、羽目板、トリム木材、商標、ロゴ、または絵画の外観に似ているように適合されていることをさらに含む、項目２６に記載のシステム。
（項目３０）
前記磁気下敷材が、前記支持層に永久的に接合されることをさらに含む、項目２６に記載のシステム。
（項目３１）
前記磁気下敷材が、接着剤または留め手段によって、前記支持層に取り付けられることをさらに含む、項目２６に記載のシステム。
（項目３２）
前記磁気下敷材が、留め装置によって支持されることをさらに含む、項目２６に記載のシステム。
（項目３３）
前記モジュール式壁被覆ユニットの組が、前記磁気下敷材に取り外し可能に取り付けられるように適合されていることをさらに含む、項目２６に記載のシステム。
（項目３４）
前記壁ボードが、鉱物綿を含むことをさらに含む、項目２６に記載のシステム。
（項目３５）
前記被覆層が、防炎外側層を含むことをさらに含む、項目２６に記載のシステム。
（項目３６）
前記絶縁層が、難燃性ガラス繊維を含むことをさらに含む、項目２６に記載のシステム。
（項目３７）
前記支持層が、仕上げ加工を要求しないことをさらに含む、項目２６に記載のシステム。
（項目３８）
壁を仕上げ加工する方法であって、前記方法は、
壁ボード、絶縁層、および被覆層を備えている支持層を支持フレームに取り付けることと、
等方性磁気シート材を備えている磁気下敷材を前記支持層の被覆層に固定することと、
内側磁気感応性層および装飾外側層を備えているモジュール式壁被覆ユニットの組のうちの各々を前記磁気下敷材に取り外し可能かつ磁気的に取り付けることと
を含む、方法。
（項目３９）
前記装飾層は、タイル、漆喰、木材、スレート、御影石、塗装壁、壁紙、ヴェネツイア漆喰、羽目板、トリム木材、商標、ロゴ、または絵画の外観に似ているように適合されていることをさらに含む、項目３８に記載の方法。
（項目４０）
前記磁気下敷材が、前記支持層を前記支持フレームに取り付けることに先立って、前記支持層に永久的に接合されることをさらに含む、項目３８に記載の方法。
（項目４１）
前記磁気下敷材が、接着剤または留め手段によって、前記支持層に取り付けられることをさらに含む、項目３８に記載の方法。
（項目４２）
前記磁気下敷材が、留め装置によって支持されることをさらに含む、項目３８に記載の方法。
（項目４３）
前記壁ボードが、鉱物綿を含むことをさらに含む、項目３８に記載の方法。
（項目４４）
前記被覆層が、防炎外側層を含むことをさらに含む、項目３８に記載の方法。
（項目４５）
前記絶縁層が、難燃性ガラス繊維を含むことをさらに含む、項目３８に記載の方法。
（項目４６）
前記支持層が、仕上げ加工を要求しないことをさらに含む、項目３８に記載の方法。
（項目４７）
上部層を表面に磁気的に固定するためのシステムであって、前記システムは、
前記表面に固定されるように適合されている等方磁気下敷と、
複数のモジュール式ユニットを備えている上部層と
を備え、
前記複数のモジュール式ユニットにおける前記モジュール式ユニットの各々は、装飾外側層と、前記磁気下敷に取り外し可能かつ磁気的に固定されるように適合されている磁気感応性内側層とを備えている、システム。
（項目４８）
前記磁気下敷は、床に固定されるように適合されている、項目４７に記載のシステム。
（項目４９）
前記磁気下敷は、壁に固定されるように適合されている、項目４７に記載のシステム。
（項目５０）
前記複数のモジュール式ユニットは、床用被覆材ユニットを備えている、項目４８に記載のシステム。
（項目５１）
前記複数のモジュール式ユニットは、壁被覆ユニットを備えている、項目４９に記載のシステム。
（項目５２）
前記等方磁気下敷は、カレンダ加工プロセスにおいて生産される、項目４７に記載のシステム。
（項目５３）
交換可能室内装飾システムであって、前記システムは、
等方磁気層を有する壁の組であって、前記等方磁気層は、前記壁の組の外向きに面した表面上に配置されている、壁の組と、
等方磁気層を有する床であって、前記等方磁気層は、前記床の上部に配置されている、床と、
前記壁の組の等方磁気層上に磁気的かつ取り外し可能に配置されるように適合されている複数のモジュール式磁気感応性壁パネルと、
前記床の等方磁気層上に磁気的かつ取り外し可能に配置されるように適合されている複数のモジュール式磁気感応性床用被覆材ユニットと
を備えている、システム。
（項目５４）
前記壁の組の等方磁気層上に磁気的かつ取り外し可能に配置されるように適合されている磁気感応性トリム部品の組をさらに備えている、項目５３に記載のシステム。
（項目５５）
前記壁の組の等方磁気層上に磁気的かつ取り外し可能に配置されるように適合されている付属部品の組をさらに備えている、項目５３に記載のシステム。
（項目５６）
前記壁の組の等方磁気層および前記床の等方磁気層は、カレンダ加工された磁気シートを備えている、項目５３に記載のシステム。
（項目５７）
前記壁の組の等方磁気層および前記床の等方磁気層は、パルス磁化プロセスによって磁化される、項目５３に記載のシステム。
（項目５８）
磁気床下敷を製造する方法であって、前記方法は、
ｅ）結合化合物を混成することであって、前記結合化合物は、可塑剤および金属化合物を含む、ことと、
ｆ）スクリム層を引き引き伸ばすことと、
ｇ）前記結合成分を半固体状態まで加熱することと、
ｈ）前記結合化合物を前記スクリム層の上に押し出すことと、
ｉ）前記結合化合物を前記スクリム層の上に均一に分散することと、
ｊ）前記結合化合物およびスクリム層を加熱し、前記結合化合物を固体状態に固めることと、
ｋ）防湿材層を前記結合化合物およびスクリム層上に押し付け、下敷を形成することと、
ｌ）前記下敷を磁化することと
を含む、方法。
（項目５９）
金属化合物が、鉄粉、鉄砂粒、鋼鉄砂粒、鋼鉄粉、異方性粉末、等方性粉末、またはストロンチウムフェライト粉末のうちの１つを含むことをさらに含む、項目５８に記載の方法。
（項目６０）
前記結合化合物が、ＰＶＣ、ポリプロピレン、ゴム、繊維ガラス、または黒鉛を含むことをさらに含む、項目５８に記載の方法。
（項目６１）
前記スクリム層が、繊維ガラススクリムテープを含むことをさらに含む、項目５８に記載の方法。
（項目６２）
前記分散することが、エッジディバイダの組によって誘導されるスクイージによって行われることをさらに含む、項目５８に記載の方法。
（項目６３）
前記防湿材が、シリコーン防湿材を含むことをさらに含む、項目５８に記載の方法。
（項目６４）
前記スクリム層が、ローラの組によって引き伸ばされることをさらに含む、項目５８に記載の方法。
（項目６５）
前記防湿材が、ローラの組によって張力をかけられることをさらに含む、項目５８に記載の方法。
（項目６６）
前記防湿材が、サンドイッチローラの組によって前記結合化合物およびスクリム層に押し付けられることをさらに含む、項目５８に記載の方法。
（項目６７）
前記下敷が、磁気ローラの組によって磁化されることをさらに含む、項目５８に記載の方法。
（項目６８）
前記磁気ローラは、ネオジム鉄ホウ素（ＮｄＦｅＢまたはＮＩＢ）、サマリウムコバルト（ＳｍＣｏ）、アルニコ、セラミックもしくはフェライト、または超磁石タイプ磁石を含むことをさらに含む、項目５８に記載の方法。
（項目６９）
前記結合化合物およびスクリム層を加熱することが、炉によって行われることをさらに含む、項目５８に記載の方法。